(57)【要約】【課題】  高所や地下等の危険な場所に設置された動的設備を、安全な状態で確実かつ効率よく点検することの可能な動的設備の遠隔点検装置及び遠隔点検装置付き動的設備の提供を目的とする。【解決手段】  遠隔点検装置１は、凍結防止設備２００をポンプ室１１０の床上から点検する装置であり、動的設備である送風機２２０の振動を検出するＣＣＤカメラ２と、送風機２２０の異音を検出するマイク３と、送風機２２０の異臭を検出する臭気センサ４と、筐体２５０の内部を照らす蛍光灯６と、送風機２２０のＶベルト２２３における異常たわみを検出するダイナモ７と、床上に設置した点検操作盤８とからなっている。【選択図】  図１
2005240558.tif 000002
【特許請求の範囲】
【請求項１】
可動部分を有する動的設備の遠隔点検装置であって、
前記動的設備の異音及び／又は振動を検知する簡易検知装置と、
前記動的設備から離れた場所において、前記簡易検知装置からの点検情報を出力する監視手段と、
を具備したことを特徴とする動的設備の遠隔点検装置。
【請求項２】
前記動的設備の異臭を検知する異臭検知手段と、前記動的設備から離れた場所において、前記異臭検知手段からの異臭情報を出力する異臭情報出力手段を備えたことを特徴とする請求項１記載の動的設備の遠隔点検装置。
【請求項３】
前記振動を検知する簡易検知装置を、テレビホンとしたことを特徴とする請求項１又は２記載の動的設備の遠隔点検装置。
【請求項４】
前記動的設備に取り付けられた動力伝達ベルトの異常たわみを検出する、たわみ検出手段を備えたことを特徴とする請求項１〜３のいずれかに記載の動的設備の遠隔点検装置。
【請求項５】
上記請求項１〜４のいずれかに記載の動的設備の遠隔点検装置を備えたことを特徴とする遠隔点検装置付き動的設備。
【請求項６】
前記動的設備を、少なくともヒータ及び送風機からなる凍結防止設備としたことを特徴とする請求項５記載の遠隔点検装置付き動的設備。
【発明の詳細な説明】
【技術分野】
【０００１】
本発明は、動的設備の遠隔点検装置及び遠隔点検装置付き動的設備に関し、特に、高所に設置されたヒータ及び送風機からなる凍結防止設備を、床上から安全かつ確実に点検することの可能な動的設備の遠隔点検装置，及び遠隔点検装置付き動的設備に関する。
【背景技術】
【０００２】
原油備蓄基地には、原油備蓄設備に火災等の災害が発生した場合、消火用水を災害発生設備へ供給するための消火ポンプ設備が設置されている。
図４に示すように、上記消火ポンプ設備１００は、一般的に、ディーゼルエンジン１０１を備えており、停電時においても消火用水を災害発生設備に供給することができる。
この消火ポンプ設備１００は、四季を通じてポンプ室１１０内に設置されているが、たとえば、原油備蓄基地が北海道等の寒冷地に位置する場合には、１１月〜４月の冬期間は、ポンプ室１１０内を約７℃以上に暖房することによって、ディーゼルエンジン１０１の冷却水の凍結や起動不良を防止している。
【０００３】
上記暖房は、図４に示すように、凍結防止設備２００によって行なわれ、この凍結防止設備２００は、電熱ヒータ２１０，送風機２２０，吸込みダクト２３０，吐出しダクト２４０及び筐体２５０とからなっている。
凍結防止設備２００は、電熱ヒータ２１０及び送風機２２０が、ポンプ室１１０の天井から吊り下げられた筐体２５０に設置されている。また、この筐体２５０は、両端に吸込みダクト２３０及び吐出しダクト２４０が連結されており、吸込みダクト２３０から吸い込んだ空気を吐出しダクト２４０へ送るダクトとしての機能をも有している。さらに、送風機２２０は、ファン本体２２１，モータ２２２，及び，モータ２２２から動力をファン本体２２１に伝達するＶベルト２２３とからなっている。
上記凍結防止設備２００は、吸込みダクト２３０からポンプ室１１０内の空気及び外気を吸い込み、この吸い込んだ空気を電熱ヒータ２１０によって加熱し、加熱された空気を送風機２２０が吐出しダクト２４０に送風し、吐出しダクト２４０から温風として吹き出す構成としてある。
【０００４】
ところで、消火ポンプ設備１００は、災害時に消火用水を災害発生設備へ供給する重要な設備であることから、その起動を確保するための凍結防止設備２００も同様に重要な設備である。このため、凍結防止設備２００は、凍結対策期間中（１１月〜４月）、ほぼ連続運転されるとともに、点検が毎日実施される。
点検作業員は、凍結防止設備２００を日常点検する際、地上約４ｍの高さに設けられた筐体２５０に梯子３００をかけ、筐体２５０に設けられた点検扉２５１を開き、覗き込むようにして内部の状態、たとえば、モータ２２２及びファン本体２２１の異音，異臭及び振動等を点検していた。
【０００５】
また、この凍結防止設備２００の点検作業は、点検作業員が梯子３００を昇り降りする際、足を踏み外す危険があり、また、身を乗り出して点検扉２５１を開く際、バランスをくずして転落する危険があった。
このように身を乗り出して点検扉２５１を開き、点検扉２５１から点検する作業は、危険な作業であり、また、梯子３００を降りる作業も危険な作業であった。このため、これら作業の危険性を現実に排除する必要があり、解決手段の一つとして、安全な場所から確実に点検できる遠隔点検装置が要望されていた。
【０００６】
たとえば、管理者から離れた位置にある設備を監視する技術として、エレベータ機械室内の監視画像を得るエレベータ機械室内監視カメラと、かご内監視カメラと、これら各監視カメラによる画像を送出する通信制御部を有する制御盤と、通信制御部に通信回線を介して接続された通信制御部及び異常状態信号の受信にもとづいてかご内監視カメラによる画像を表示するモニターを有する監視センターと、モニターに表示されるかご内監視カメラとエレベータ機械室内監視カメラとの監視画像を切り替える操作部とを備えたエレベータの遠隔監視装置の技術が開示されている（特許文献１参照）。
この技術によれば、エレベータの異常状態発生時に監視センターよりかご内及びエレベータ機械室内各機器の実状を把握でき、より適切な処置判断にもとづいて故障復旧時間を短縮することができる。
【特許文献１】特開平９−１９４１５６号公報  （請求項１、第１図）
【発明の開示】
【発明が解決しようとする課題】
【０００７】
しかしながら、上記凍結防止設備２００の高所における点検作業の際の危険性を回避するには、異音，異臭，振動等の点検項目を全て床上で点検する必要がある。すなわち、床上で点検することのできない点検項目が一つでもあると、その一つの点検項目のために、点検作業員は高所での危険な点検作業を行なう必要がある。たとえば、監視カメラを設けただけでは、異音や異臭の点検ができないので、高所での危険な点検作業を廃止することはできず、転落の危険性を排除し、安全な作業環境で点検することができないといった問題があった。
【０００８】
また、危険な状況で点検作業を行なうと、点検に集中することができず、落ち着いて点検することができない場合があり、点検の信頼性が低下するといった問題があった。
さらに、点検作業の効率を向上させる観点からは、点検精度を低下させることなく、点検時間を短縮する必要があった。
【０００９】
また、改善活動においては、設備を導入した際、標準仕様の設備を自分たちが使いやすいように、あるいは、生産性を向上できるように、独自に改良して使用することが好ましいとされている。
ここで、設備の製造・販売者にとっては、上記改良が他のユーザにとっても有効であり、設備のオプションとすることが可能な場合、上記改良をオプションとして追加し、設備の付加価値を高めるとともに、他社製品との差別化を図る必要がある。
【００１０】
本発明は、上記問題を解決すべく、高所や地下等の危険な場所に設置された動的設備を、安全な状態で確実かつ効率よく点検することの可能な動的設備の遠隔点検装置及び遠隔点検装置付き動的設備の提供を目的とする。
【課題を解決するための手段】
【００１１】
この目的を達成するために、本発明の動的設備の遠隔点検装置は、可動部分を有する動的設備の遠隔点検装置であって、前記動的設備の異音及び／又は振動を検知する簡易検知装置と、前記動的設備から離れた場所において、前記簡易検知装置からの点検情報を出力する監視手段と、を具備した構成としてある。
このようにすると、可動部分を有する動的設備に対して、振動及び／又は異音を任意の安全な場所で点検することができるので、点検作業員は、危険な作業から開放され安全な状態で点検作業を行なうことができる。また、可動部分を有する動的設備は、一般的に、異常停止する前に異音を発したり振動したりするので、これら異音や振動を早期に検出し、保全処理を施すことにより、完全停止してしまいかつ早期に復旧させることができなくなるといった最悪の事態を回避することができる。
【００１２】
また、本発明の動的設備の遠隔点検装置は、前記動的設備の異臭を検知する異臭検知手段と、前記動的設備から離れた場所において、前記異臭検知手段からの異臭情報を出力する異臭情報出力手段を備えた構成としてある。
このようにすると、たとえば、可動部分が異物等と接触し発熱した場合、発熱により発生する焦げるような異臭を検知することができ、焼損事故を未然に防止することができる。
【００１３】
また、本発明の動的設備の遠隔点検装置は、前記振動を検知する簡易検知装置を、テレビホンとした構成としてある。
このように、テレビホンのＣＣＤ（電荷結合素子）カメラを用いて動的設備の振動を点検することにより、たとえば、動的設備が設置された基礎部材の剛性が低く、基礎部材自体が振動する場合であっても、ＣＣＤカメラを基礎部材に取り付けることにより、動的設備の振動のみを容易に点検することができる。また、動的設備が設置される基礎部材の剛性が高い場合には、基礎部材が振動しないので、動的設備に振動計を取り付ける一般的な振動検出方法で、動的設備の振動を点検することができる。
【００１４】
また、本発明の動的設備の遠隔点検装置は、前記動的設備に取り付けられた動力伝達ベルトの異常たわみを検出する、たわみ検出手段を備えた構成としてある。
このようにすると、動力伝達ベルトに起因する異常を早期に発見することができるので、動力伝達ベルトのたわみや破断等によって動的設備が停止するといった不具合を未然に防止することができる。
また、たわみ検出手段を、異常にたわんだ状態の動力伝達ベルトと接触して発電するダイナモとしてもよい。このようにすると、動力伝達ベルトが異常にたわむとダイナモと接触し、ダイナモが発電するので、この電力でランプを点灯させたり、あるいは、ブザーを鳴らすことにより、動力伝達ベルトの異常たわみを容易に検出することができる。
【００１５】
また、本発明の遠隔点検装置付き動的設備は、上記請求項１〜４のいずれかに記載の動的設備の遠隔点検装置を備えた構成としてある。
このように、本発明は、遠隔点検装置を備えた動的設備としても有効であり、動的設備の付加価値を高めることができる。
【００１６】
また、本発明の遠隔点検装置付き動的設備は、前記動的設備を、少なくともヒータ及び送風機からなる凍結防止設備とした構成としてある。
このようにすると、送風機の運転状態を容易に点検することができるので、送風機が停止することにより、温風を循環させることができなくなり、凍結防止機能が低下又は停止するといった不具合を効果的に防止することができる。
【発明の効果】
【００１７】
本発明における動的設備の遠隔点検装置によれば、危険な場所に設置された動的設備を安全な場所から点検することができるので、たとえば、高所から転落するといった危険から点検作業員を守ることができる。また、安全な状態で点検できるので、点検に集中することができ、点検精度を向上させることができる。
さらに、本発明の遠隔点検装置付き動的設備は、遠隔点検装置を備えているので、動的設備が危険な場所に設置された場合であっても、安全な場所で容易に点検することができ、他社製品との差別化を図ることができる。
【発明を実施するための最良の形態】
【００１８】
[動的設備の遠隔点検装置]
図１は、本発明にかかる動的設備の遠隔点検装置の実施形態の概略ブロック図を示している。
同図において、遠隔点検装置１は、上述した凍結防止設備２００をポンプ室１１０の床上から点検する装置であり、動的設備である送風機２２０の振動を検出するＣＣＤカメラ２と、送風機２２０の異音を検出するマイク３と、送風機２２０の異臭を検出する臭気センサ４と、筐体２５０の内部を照らす蛍光灯６と、送風機２２０のＶベルト２２３における異常たわみを検出するダイナモ７と、床上に設置した点検操作盤８とからなっている。
なお、上記送風機２２０の振動，異音及び異臭は、送風機２２０自体の振動，異音及び異臭に限定されるものではなく、送風機２２０に起因して発生する他の物体の振動，異音及び異臭を含むものとする。
また、ＣＣＤカメラ２，マイク３，臭気センサ４及びダイナモ７は、簡易検知装置であり、日常点検レベルの振動等を検知することができる。
【００１９】
本実施形態のものは、ＣＣＤカメラ２とマイク３が一体化されたテレビホン５０用のカメラ・マイク５を使用することにより、設備費及び設置費用のコストダウンを図っている。
このカメラ・マイク５は、送風機２２０の全体が見渡せ、かつ、集音に最適な位置となるように、筐体２５０の内壁であって送風機２２０の奥側へ約５０ｃｍ離れた位置に取り付けてある。
また、カメラ・マイク５は、点検操作盤８に設けられた、モニター画面２０とスピーカ３０からなるテレビホン５０と接続してあり、モニター画面２０によって送風機２２０の振動を点検し、スピーカ３０によって異音を点検することができる。
なお、ＣＣＤカメラ２とマイク３は、テレビホン５０用のカメラ・マイク５に限定されるものではなく、ＣＣＤカメラ２とマイク３を別個に設けてもよい。また、モニター画面２０とスピーカ３０は、テレビホン５０として一体化されている場合に限定されるものではなく、たとえば、モニター画面２０とスピーカ３０を別個に設けてもよい。
【００２０】
臭気センサ４は、筐体２５０の内部の臭気を検知するように、電熱ヒータ２１０と送風機２２０の間に設けてある。
また、臭気センサ４は、点検操作盤８に設けられた臭気レベルを出力する表示部４０と接続してあり、表示部４０に表示される数字の大小によって臭気レベルを点検することができる。
なお、臭気センサ４の設置位置は、上記位置に限定されるものではなく、たとえば、吐出しダクト２４０の内部に設けてもよく、このようにすると、ファン本体２２１の内部で発生する異臭を効果的に検出することができる。また、電熱ヒータ２１０と送風機２２０の間と、吐出しダクト２４０の内部の二箇所に臭気センサ４を設けると、異臭の検出効率は更に高まる。
【００２１】
蛍光灯６は、筐体２５０の内部、特に、送風機２２０の全体を照らすように、筐体２５０の内壁であって送風機２２０の上流側上方に取り付けてある。
この蛍光灯６は、点検操作盤８に設けられた蛍光灯スイッチ６０によってオンオフ制御され、蛍光灯６を点灯することにより、ＣＣＤカメラ２が送風機２２０を鮮明に撮像することができる。
【００２２】
遠隔点検装置１は、送風機２２０のファン本体２２１とモータ２２２との間に架設したＶベルト２２３の異常たわみを検出するためのたわみ検出手段として、ダイナモ７を設けてある。このダイナモ７は、Ｖベルト２２３が異常なレベルまでたわむと、Ｖベルト２２３がダイナモ７の回転ローラ７２と接触し、回転ローラ７２が回転することにより発電する。このダイナモ７と接続されたランプ７０が、点検操作盤８に設けられており、Ｖベルト２２３が異常なレベルまでたわむとダイナモ７の起電力によってランプ７０が点灯する。
なお、点検操作盤８には、ランプ７０のランプ切れを確認するためのテストスイッチ７１を設けてある。
【００２３】
また、遠隔点検装置１の点検操作盤８は、ポンプ室１１０の床上に設けてあり、この点検操作盤８には、上記モニター画面２０，スピーカ３０，表示部４０，蛍光灯スイッチ６０，ランプ７０及びテストスイッチ７１が配設してある。
このように、各検知手段のアウトプットを一箇所にまとめることにより、点検時間を短縮することができ、作業効率を向上させることができる。
なお、凍結防止設備２００のその他の構成は、上述した凍結防止設備２００とほぼ同様としてある。
【００２４】
次に、上記構成の遠隔点検装置１の動作について説明する。
まず、送風機２２０の振動は、異物付着等によって回転体のロータバランスがアンバランスになると回転体が加震源となり、アンバランス量に応じて振動が増大する。また、本実施形態においては、送風機２２０が吊り下げられた筐体２５０に設置されているので、筐体２５０の固有振動数が送風機２２０の回転数（Ｎ倍の回転数をも含む。）と一致すると、共振状態に陥り筐体２５０ごと振動することもある。その他の要因に起因する振動も想定されるが、いずれにしろ送風機２２０が振動すると、送風機２２０の重量の数倍の力が取付け部に作用するので、取付け部が破損するといった不具合を引き起こす危険性がある。
この送風機２２０の振動は、筐体２５０の内壁に取り付けられたＣＣＤカメラ２によって、モニター画面２０から点検することができる。すなわち、モニター画面２０において、送風機２２０が振動していないとき、送風機２２０は、筐体２５０に対して振動していない状態であり正常に回転している。
【００２５】
なお、本実施形態では、吊り下げられた筐体２５０の剛性が小さく、筐体２５０が微小振動していることから、ＣＣＤカメラ２による振動検出が有効である。
ただし、送風機２２０がポンプ室１１０の床に設置される場合には、基礎部材としての筐体２５０の剛性が大きくなるので、ＣＣＤカメラ２の代わりに、振動計を送風機２２０に取り付けるとよく、このようにすると、送風機２２０の振動を精度よく検出することができる。
【００２６】
また、送風機２２０は、ケーシング内部で羽根車が接触した場合や、ボールベアリングの油が切れかかったり寿命によって破損しかけると、異音を発するが、これらの異音は、マイク３によって検出でき、スピーカ３０からの音を聞くことにより異音の有無を点検することができる。
【００２７】
さらに、送風機２２０は、異物が付着し、この異物が回転体と摺動したりすると、焦げているような異臭を発する場合があるが、この異臭は、臭気センサ４によって検出され、表示部４０の数字の大きさによって点検することができる。
【００２８】
また、ダイナモ７は、図２（ａ）に示すように、送風機２２０のＶベルト２２３の異常たわみを検出するように取り付けてある。この取付け方法は、まず、モータ２２２の回転トルクを正常に伝達できなくなるレベルまでＶベルト２２３をたわませてから、モータ２２２を回転させ、この状態でＶベルト２２３とダイナモ７の回転ローラ７２が接触する位置に、ダイナモ７を取り付ける。その後、適正なテンションとなるように、Ｖベルト２２３を張ると、Ｖベルト２２３と回転ローラ７２は、距離Ｌだけ離れる。
上記のように取り付けられたダイナモ７は、同図（ｂ）に示すように、Ｖベルト２２３が伸びてたわみが発生し、このたわみが正常に回転トルクを伝達できなくなるレベルに達すると、回転ローラ７２がＶベルト２２３と接触し回転して発電する。そして、ダイナモ７と接続されたランプ７０が点灯するので、点検作業員は、ランプ７０の点灯の有無を確認することにより、Ｖベルト２２３の異常たわみを点検することができる。
なお、点検作業員は、ランプ７０が点灯していないとき、テストスイッチ７１をオンにして、乾電池等（図示せず）の点検用電源を用いて、ランプ７０を点灯させ、ランプ７０が切れていないことを確認する。この確認によって、ランプ７０が切れているために、異常たわみを検出できないといった不具合を防止することができる。
【００２９】
このように、本発明にかかる遠隔点検装置１によれば、凍結防止設備２００が高所に設置された場合であっても、床上に設置された点検操作盤８から、凍結防止設備２００の状態、すなわち、異音，異臭，異常振動及びＶベルト２２３の異常たわみを点検することができ、安全かつ確実に凍結防止設備２００を点検することができる。
特に、冬季においては、吹雪等によって天候が荒れている場合、ポンプ室１１０に行くだけでも、精神的及び肉体的に疲労することがある。このようなとき、梯子３００を昇り高所で行なう点検作業に対し、点検作業者はしばしば危険を感じていたが、上記遠隔点検装置１を設けることにより、高所から転落するといった危険をゼロにすることができる。
また、安全な状態で落ち着いて点検できるので、確実に点検することができ、点検精度を向上させることができる。さらに、点検操作盤８を用いて、異音，異臭，振動及びベルトのたわみを点検できるので、点検時間を短縮することができる。
【００３０】
[遠隔点検装置付き動的設備]
図３は、本発明にかかる遠隔点検装置付き動的設備の実施形態の概略図を示している。
同図において、遠隔点検装置付き送風機９は、動的設備としての送風機２２０が、遠隔点検装置として、ＣＣＤカメラ，マイク，スピーカ及び送受信手段を備えたＣＣＤカメラ付き携帯電話８０，８１を備えた構成としてある。
なお、本実施形態では、ＣＣＤカメラ，マイク，スピーカ及び送受信手段を備えた機器として、ＣＣＤカメラ付き携帯電話８０，８１を使用しているが、この構成に限定されるものではなく、異音及び振動を検知する検知手段及びこの検知手段からの点検情報を出力する出力手段、たとえば、上記カメラ・マイク５及びテレビホン５０を備えた構成としてもよい。
また、動的設備は、送風機２２０に限定されるものではなく、たとえば、ポンプやロボット等のように可動部を有する設備であればよい。さらに、少なくともヒータ２１０及び送風機２２０からなる凍結防止設備２００としてもよく、このようにすると、送風機２２０の運転状態を容易に点検することができるので、送風機２２０が停止することにより、温風を循環させることができなくなり、凍結防止機能が低下又は停止するといった不具合を効果的に防止することができる。
【００３１】
遠隔点検装置付き送風機９は、送風機２２０が、ファン本体２２１，モータ２２２，Ｖベルト２２３及びベース８２とからなっており、送風機２２０の全体が見渡せ、かつ、集音に最適な位置となるように、ベース８２から取付け棒８３が突設してあり、この先端にＣＣＤカメラ付き携帯電話８０が取り付けられている。また、遠隔点検装置付き送風機９は、点検作業員が自由に持ち運びできるＣＣＤカメラ付き携帯電話８１を備えている。
ここで、ＣＣＤカメラ付き携帯電話８０は、ＣＣＤカメラ付き携帯電話８１から点検開始信号を入力すると、ＣＣＤカメラから入力した画像データ及びマイクから入力した音声データを自動的に、ＣＣＤカメラ付き携帯電話８１に送信する構成としてある。
また、ＣＣＤカメラ付き携帯電話８１は、ＣＣＤカメラ付き携帯電話８０からの画像データ及び音声データを点検作業員に提供する。点検作業員は、画像データから送風機２２０の異常振動を点検でき、また、音声データから異常音の有無を点検することができる。
【００３２】
このように、本実施形態にかかる遠隔点検装置付き送風機９は、遠隔点検装置としてＣＣＤカメラ付き携帯電話８０，８１を備えており、点検作業員は、ＣＣＤカメラ付き携帯電話８１から、送風機２２０の異常振動及び異常音の有無を点検することができる。
また、遠隔点検装置付き送風機９は、遠隔点検装置としてＣＣＤカメラ付き携帯電話８０，８１を備えることにより、点検作業員が、送風機２２０と遠く離れている場合であっても、支障なく点検を実施することができる。
なお、ＣＣＤカメラ付き携帯電話８０は、ポンプ室１１０の壁に直接取り付けてもよく、このようにすると、ベース８２の振動の影響を受けることなく、精度よく送風機２２０の振動を検知することができる。
【００３３】
以上、本発明の動的設備の遠隔点検装置及び遠隔点検装置付き動的設備について、好ましい実施形態を示して説明したが、本発明に係る動的設備の遠隔点検装置及び遠隔点検装置付き動的設備は、上述した実施形態にのみ限定されるものではなく、本発明の範囲で種々の変更実施が可能であることは言うまでもない。
たとえば、動的設備としては、上記凍結防止設備や送風機に限定されるものではなく、地下室等の点検作業員が行きにくい場所に設置された動的設備でもよく、上記と同様に、点検作業員を危険から守るとともに、確実かつ効率よく点検を行なうことができる。
【産業上の利用可能性】
【００３４】
本発明の動的設備の遠隔点検装置及び遠隔点検装置付き動的設備は、点検装置及び点検装置を備えた動的設備として説明してあるが、この用途に限定されるものではなく、たとえば、遠隔監視装置及び遠隔監視装置を備えた動的設備としても、本発明を適用することが可能である。
【図面の簡単な説明】
【００３５】
【図１】本発明にかかる動的設備の遠隔点検装置の実施形態の概略ブロック図を示している。
【図２】本発明にかかるたわみ検出手段を説明するための概略図であり、（ａ）は正常な状態の側面図を、（ｂ）は異常たわみ発生状態の側面図を示している。
【図３】本発明にかかる遠隔点検装置付き動的設備の実施形態の概略図を示している。
【図４】従来の原油備蓄基地における消火ポンプ設備及び凍結防止設備の設置状況を説明するための概略図を示している。
【符号の説明】
【００３６】
１  遠隔点検装置
２  ＣＣＤカメラ
３  マイク
４  臭気センサ
５  カメラ・マイク
６  蛍光灯
７  ダイナモ
８  点検操作盤
９  遠隔点検装置付き送風機
２０  モニター画面
３０  スピーカ
４０  表示部
５０  テレビホン
６０  蛍光灯スイッチ
７０  ランプ
７１  テストスイッチ
７２  回転ローラ
８０  ＣＣＤカメラ付き携帯電話
８１  ＣＣＤカメラ付き携帯電話
８２  ベース
８３  取付け棒
１００  消火ポンプ設備
１０１  ディーゼルエンジン
１１０  ポンプ室
２００  凍結防止設備
２１０  電熱ヒータ
２２０  送風機
２２１  ファン本体
２２２  モータ
２２３  Ｖベルト
２３０  吸込みダクト
２４０  吐出しダクト
２５０  筐体
２５１  点検扉
３００  梯子
【図１】
2005240558.tif 000003
【図２】
2005240558.tif 000004
【図３】
2005240558.tif 000005
【図４】
2005240558.tif 000006